(57)【要約】【課題】薄型化を図ることができる時計装置を提供すること。【解決手段】ディスク針８の第１端面８ｃに対向して第１対向面９ｂが設けられ、また、ディスク針８の第２端面８ｂに対向して第２対向面７ｂが設けられた時計装置において、ディスク針８を弾性材によって形成し、第１対向面９ｂ又は第２対向面７ｂには、ディスク針８の第１端面８ｃ又は第２端面８ｂに点接触又は線接触する突起１５を配設した。この突起１５によるディスク針８の第１端面８ｃ又は第２端面８ｂに対する点接触又は線接触によって、ディスク針８のあがき等を抑制することができ、時計装置のさらなる薄型化が可能となる。【選択図】図５
2013076638.tif 000002
【特許請求の範囲】
【請求項１】
回転によって情報を表示するためのディスク針を有すると共に、このディスク針の表面側に位置し当該ディスク針の第１端面に対向する第１対向面と、前記ディスク針の裏面側に位置し当該ディスク針の第２端面に対向する第２対向面とを有する時計装置において、
前記ディスク針は弾性材によって形成され、
前記第１対向面又は前記第２対向面には、前記ディスク針の前記第１端面又は前記第２端面に点接触又は線接触する突起が配設されていることを特徴とする時計装置。
【請求項２】
回転によって情報を表示するためのディスク針を有すると共に、このディスク針の表面側に位置し当該ディスク針の第１端面に対向する第１対向面と、前記ディスク針の裏面側に位置し当該ディスク針の第２端面に対向する第２対向面とを有する時計装置において、
前記ディスク針は弾性材によって形成され、
前記第２対向面には、前記ディスク針の前記第２端面に点接触又は線接触する突起が配設されていることを特徴とする時計装置。
【請求項３】
前記突起は、前記ディスク針の常態よりも当該ディスク針の外周部を前記第１対向面に近づく方向に変形させる程度の寸法とされていることを特徴とする請求項２に記載の時計装置。
【請求項４】
前記ディスク針は、時刻を指示する指針の回転中心を中心に回転することを特徴とする請求項１〜３いずれか一項に記載の時計装置。
【請求項５】
前記突起は、前記ディスク針の周方向に所定の間隔で複数設けられていることを特徴とする請求項１〜４いずれか一項に記載の時計装置。
【請求項６】
前記突起は、前記ディスク針の周方向に直交する断面が当該ディスク針に向けて凸となるように山型又は弧状となっていることを特徴とする請求項１〜５いずれか一項に記載の時計装置。
【発明の詳細な説明】
【技術分野】
【０００１】
本発明は腕時計などの時計装置に関するものである。
【背景技術】
【０００２】
従来、アナログ式腕時計として、上文字板の一部に開口部を形成するとともに、上文字板と下文字板との間に円盤状の針であるディスク針を回転自在に配設し、前記開口部を取り囲む上文字板又は見切り枠の縁に複数の目盛等の機能表示領域を形成し、前記ディスク針を回転させることによって複数の目盛（機能表示部）の１つを指示させるようにしたものが知られている（例えば、特許文献１参照）。
【先行技術文献】
【特許文献】
【０００３】
【特許文献１】特開２０１１−０６９６２０号公報
【発明の概要】
【発明が解決しようとする課題】
【０００４】
ところで、ディスク針の駆動軸のガタツキ、軸への取付け精度誤差等により、ディスク針の回転に伴うあがき又はばたつきは避けられない。ディスク針にこのようなあがき等が生じた場合、そのあがき等の程度にもよるが、ディスク針が広い範囲で上文字板又は下文字板に接触し、ディスク針の円滑な動作が妨げられてしまう。特に、ディスク針の径が大きい場合には、あがき量が大きくなり、その傾向が顕著となる。
そのため、ディスク針と文字板との接触を避けるために、文字板とディスク針との間の隙間を大きく設定し、ディスク針にあがき又はばたつきが生じた際にも、当該ディスク針が文字板に接触しないようにすることが行われていた。
その結果、大きなディスク針を有する腕時計においてはその薄型化が困難であった。
このような問題は、ディスク針の下方が文字板の場合に限らず、ディスク針の下に対向面が存在する場合一般に生じる。
【０００５】
本発明は、かかる問題点に鑑みなされたもので、薄型化を図ることができる時計装置を提供することを目的とする。
【課題を解決するための手段】
【０００６】
本発明に係る時計装置は、
回転によって情報を表示するためのディスク針を有すると共に、このディスク針の表面側に位置し当該ディスク針の第１端面に対向する第１対向面と、前記ディスク針の裏面側に位置し当該ディスク針の第２端面に対向する第２対向面とを有する時計装置において、
前記ディスク針は弾性材によって形成され、
前記第１対向面又は前記第２対向面には、前記ディスク針の前記第１端面又は前記第２端面に点接触又は線接触する突起が配設されていることを特徴とする。
【０００７】
また、本発明に係る他の時計装置は、
回転によって情報を表示するためのディスク針を有すると共に、このディスク針の表面側に位置し当該ディスク針の第１端面に対向する第１対向面と、前記ディスク針の裏面側に位置し当該ディスク針の第２端面に対向する第２対向面とを有する時計装置において、
前記ディスク針は弾性材によって形成され、
前記第２対向面には、前記ディスク針の前記第２端面に点接触又は線接触する突起が配設されていることを特徴とする。
【発明の効果】
【０００８】
本発明によれば、ディスク針の第１端面又は第２端面に対し、突起が常時接触しているので、ディスク針の回転に伴うあがき等を確実に抑制できる。
その結果、ディスク針が設置される空間の高さを、突起を設けない場合に比べて、低くすることができるので、時計装置の薄型化に資することとなる。
【図面の簡単な説明】
【０００９】
【図１】本発明に係るアナログ式腕時計の一実施形態を示した平面図である。
【図２】図１に示したアナログ式腕時計におけるＩＩ−ＩＩ線断面図である。
【図３】本実施形態のアナログ式腕時計の時計モジュール、筒車押さえ部材、ディスク針、上文字板及び指針を組み付けた状態を示した平面図である。
【図４】本実施形態のアナログ式腕時計の時計モジュール、筒車押さえ部材、ディスク針、上文字板及び指針の分解状態を正面から見た場合の断面図である。
【図５】本実施形態のアナログ式腕時計の時計モジュール、筒車押さえ部材、ディスク針、上文字板及び指針を組み付けた状態を正面から見た場合の断面図である。
【図６】（Ａ）は時計モジュール及び筒車押さえ部材の組立体の平面図、（Ｂ）は突起の斜視図である。
【図７】（Ａ）は時計モジュール及び筒車押さえ部材の組立体の平面図、（Ｂ）は突起の断面図である。
【図８】（Ａ）は時計モジュール及び筒車押さえ部材の組立体の平面図、（Ｂ）は突起の断面図である。
【発明を実施するための形態】
【００１０】
以下、本発明に係る時計装置の実施形態を図面に基づいて説明する。なお、以下の実施形態では、時計装置の一例である腕時計を挙げて説明する。
【００１１】
実施形態の腕時計１００はアナログ式腕時計であり、この腕時計１００は、図１及び図２に示すように、時計本体を構成している腕時計ケース１を備えている。
この腕時計ケース１の上部外周にはベゼル２が取り付けられている。また、この腕時計ケース１の上端開口部には時計ガラス３がパッキン３ａを介して取り付けられている。さらに、この腕時計ケース１の下部には裏蓋４が防水リング４ａを介して取り付けられている。また、この腕時計ケース１の外周部にはりゅうずＳＲ及び複数の押釦スイッチＳ１，Ｓ２，Ｓ３等が取り付けられている。
【００１２】
また、腕時計ケース１には、腕時計の１２時及び６時のそれぞれの方向に、腕時計バンド３０を取り付けるためのバンド取付部３１が設けられている。
【００１３】
さらに、腕時計ケース１の内部には、時計モジュール６と、筒車押さえ部材７、円盤状の針であるディスク針８及び文字板９とが配置されている。
【００１４】
まず、文字板９について説明する。
この文字板９には、図４に示すように、軸挿入孔９ａが形成されている。また、この文字板９には、時計の３時付近から９時付近の範囲に亘る円弧状の窓（開口部）１１が軸挿入孔９ａと同心的に形成されている。
また、文字板９には、図Ｉ及び図３に示すように、時計の６時付近から文字板９の中心に向かって延びる棒状の機能指示部（目盛指示部）１２が固定されている。この機能指示部１２は、円弧状の窓１１に架橋されている。
【００１５】
次に、時計モジュール６について説明する。
この時計モジュール６のハウジング６ａは円柱状に形成されている。このハウジング６ａの上面には、図４に示すように、中央付近に凹部１３が形成されている。そして、この凹部１３には、後述の歯車５１ａ，５１ｂが収容されている。このうち歯車５１ａは筒車の歯車である。
また、ハウジング６ａの上面には、図４に示すように、外周部に環状の枠部１４が形成されている。この枠部１４の内側は、文字板９を載置するための段部１４ａとなっている（図５参照）。
さらに、ハウジング６ａの上面には、図６（Ａ）に示すように、環状の枠部１４の直ぐ内側に、当該環状の枠部１４に沿って複数の突起１５が所定の間隔で形成されている。この突起１５は平面視で略台形となっている。また、この突起１５は、図６（Ｂ）に示すように、ハウジング６ａの円周方向に直交する断面の上半部が楔状（山状）に尖った形となっている。このように突起１５の当該断面の上半部を楔状としたのは、この時計モジュール６の上方に配置されているディスク針８の第２端面である下面８ｂとの接触を線接触とするためである。このように突起１５とディスク針８の下面８ｂとの接触を線接触とすれば、ディスク針８を回転させる際の摩擦抵抗を低減させることが可能となる。
なお、ここでは、突起１５はハウジング６ａの上面に設けられているが、この突起１５は次で述べる筒車押さえ部材７に設けられていてもよい。この筒車押さえ部材７の上面は第２対向面を構成している。
また、突起１５は、ハウジング６ａや筒車押さえ部材７と同じ材料で形成されていなくてもよい。ただし、突起１５は、ディスク針８との接触で当該ディスク針８を傷つけず、また、摩擦抵抗が小さいものであることが好ましい。
なお、突起１５は、ディスク針８の上面８ｃに対向する文字板９の下面９ｂに設けられていてもよい。
【００１６】
次に、筒車押さえ部材７について説明する。
この筒車押さえ部材７は略円形に形成されている。この筒車押さえ部材７は、ハウジング６ａの凹部１３に収容された歯車５１ａ，５１ｂを押さえるためのものである。この筒車押さえ部材７の中心には図４に示すように軸挿入孔７ａが形成されている。また、この筒車押さえ部材７には、ハウジング６ａの複数の突起１５に対応する箇所に当該複数の突起１５を突出させるための開口１６が形成されている。そして、筒車押さえ部材７を時計モジュール６の上に配置した際には、開口１６に突起１５が嵌合し、突起１５は筒車押さえ部材７の上方に突出する。
【００１７】
次に、ディスク針８について説明する。
このディスク針８の第１端面である上面８ｃは、第１対向面である文字板９の下面９ｂに対向し、ディスク針８の第２端面である下面８ｂは、第２対向面である筒車押さえ部材７の上面７ｂに対向している。
このディスク針８は、例えば、アルミニウム（Ａｌ）によって形成されている。このディスク針８はディスク針端面に直交する方向に弾性を有している。
このディスク針８の中心には軸挿入孔８ａが形成されている。このディスク針８の表面には最外周及びその内側に機能表示領域１８，１９が形成されている。
このうち機能表示領域１８には、気温や水深等を示す目盛が付されている。一方、機能表示領域１９には、高度や気圧等を示す目盛が付されている。これら機能表示領域１８，１９の目盛は、りゅうずＳＲや押釦スイッチＳ１，Ｓ２，Ｓ３等を操作することで、文字板９に固定された機能指示部１２によって指示される。
なお、このディスク針８の外周部は、突起１５によって下方から支持されている。この場合、突起１５による支持は、常態位置（突起１５によって支持されない状態で取り得る位置）よりもディスク針８の外周部が上昇した位置となるようになされることが好ましい。換言すれば、突起１５は、ディスク針８にテンションがかかった状態でディスク針８を支持することが好ましい。このようにすれば、ディスク針８の外周部には、弾性復元力によって突起１５に当接する方向に力が作用することとなり、あがき等が効果的に抑制される。
【００１８】
なお、筒車押さえ部材７の軸挿入孔７ａ、ディスク針８の軸挿入孔８ａ、及び、文字板９の軸挿入孔９ａには、時計モジュール６に連結された駆動軸５０が下方から挿入されている。
この駆動軸５０は、秒針軸５０ａ、分針軸５０ｂ、時針軸５０ｃ及びディスク針軸５０ｄから構成されている。このうちディスク針軸５０ｄは歯車５１ａと共に筒車を構成している。
これら軸５０ａ、５０ｂ、５０ｃ及び５０ｄは入れ子式に配設された構造となっている。そして、秒針軸５０ａの上端には秒針２１が、分針軸５０ｂの上端には分針２２が、時針軸５０ｃの上端には時針２３が、ディスク針軸５０ｄにはディスク針８がそれぞれ取り付けられている。
この結果、指針である秒針２１、分針２２及び時針２３とディスク針８とは同一軸心となっている指針用の駆動軸５０を中心として回転する。
【００１９】
以上のように構成された腕時計１００によれば次のような効果が得られる。
ディスク針８の外周が当該ディスク針８の下部位置に設けられている突起１５に対して常時に軽く接触しているので、ディスク針８の回転に伴うあがき等を抑制できる。
この場合、ディスク針８の外周部を常態位置よりも上方に保持させるようにすれば、より効果的にあがき等を抑制できることになる。
その結果、ディスク針８が設置される空間の高さを、突起１５を設けない場合に比べて、低くすることができるので、腕時計全体の上下方向の薄型化に資することとなる。
【００２０】
次に、突起１５の変形例について２例説明する。
図７（Ａ），（Ｂ）に示すように、第１変形例の突起１５Ａは、柱状で上面が球状に形成されている。その他の点では、上記実施形態とほぼ同じとなっている。
また、図８（Ａ），（Ｂ）に示すように、第２変形例の突起１５Ｂは、図８（Ａ）示すように平面視で円弧状に延在し、この突起１５Ｂをその延在方向に直交する断面で裁断した場合の断面の上部が図８（Ｂ）に示すように楔状に尖った形となっている。この円弧状の突起１５Ｂは、回転中心を中心とする円弧となっていることが好ましい。
このような変形例でも、上記実施形態の突起１５を設けた場合と同様な効果を得ることができる。
なお、突起は錐状に構成され、ディスク針８と点接触するようなものであってもよい。また、突起がディスク針８と面接触するように構成してもよいが、この場合には、その接触面積を可能な限り小さくすることが好ましい。
【００２１】
以上、本発明の実施形態及び変形例を説明したが、本発明は、かかる実施形態には限定されない。
例えば、上記実施形態では、ディスク針８に機能表示領域１８，１９が形成され、これを文字板９に形成された機能指示部１２によって指示するように構成しているが、ディスク針８側に針の絵柄が表示された機能指示部を形成し、文字板９に数字、文字、記号等の機能情報を形成した機能表示領域を形成してもよい。
さらに、上記実施形態では指針式腕時計に適用した場合について説明しているが、置時計、柱時計または車両の指針式計測機器などに広く適用可能である。
【００２２】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
回転によって情報を表示するためのディスク針を有すると共に、このディスク針の表面側に位置し当該ディスク針の第１端面に対向する第１対向面と、前記ディスク針の裏面側に位置し当該ディスク針の第２端面に対向する第２対向面とを有する時計装置において、
前記ディスク針は弾性材によって形成され、
前記第１対向面又は前記第２対向面には、前記ディスク針の前記第１端面又は前記第２端面に点接触又は線接触する突起が配設されていることを特徴とする時計装置。
＜請求項２＞
回転によって情報を表示するためのディスク針を有すると共に、このディスク針の表面側に位置し当該ディスク針の第１端面に対向する第１対向面と、前記ディスク針の裏面側に位置し当該ディスク針の第２端面に対向する第２対向面とを有する時計装置において、
前記ディスク針は弾性材によって形成され、
前記第２対向面には、前記ディスク針の前記第２端面に点接触又は線接触する突起が配設されていることを特徴とする時計装置。
＜請求項３＞
前記突起は、前記ディスク針の常態よりも当該ディスク針の外周部を前記第１対向面に近づく方向に変形させる程度の寸法とされていることを特徴とする請求項２に記載の時計装置。
＜請求項４＞
前記ディスク針は、時刻を指示する指針の回転中心を中心に回転することを特徴とする請求項１〜３いずれか一項に記載の時計装置。
＜請求項５＞
前記突起は、前記ディスク針の周方向に所定の間隔で複数設けられていることを特徴とする請求項１〜４いずれか一項に記載の時計装置。
＜請求項６＞
前記突起は、前記ディスク針の周方向に直交する断面が当該ディスク針に向けて凸となるように山型又は弧状となっていることを特徴とする請求項１〜５いずれか一項に記載の時計装置。
【符号の説明】
【００２３】
１００    腕時計
１    腕時計ケース
７    筒車押さえ部材
８    ディスク針
１０    上文字板
１１    窓（開口部）
１５    突起
【図１】
2013076638.tif 000003
【図２】
2013076638.tif 000004
【図３】
2013076638.tif 000005
【図４】
2013076638.tif 000006
【図５】
2013076638.tif 000007
【図６】
2013076638.tif 000008
【図７】
2013076638.tif 000009
【図８】
2013076638.tif 000010